(57)【要約】【課題】胴部位が輪部位から抜け難く、又は、被着体の延伸方向に沿って移動し難いラベルを作成するためのラベル媒体を提供する。【解決手段】ラベル６１は、第１表示部５２１及び第２表示部５２２、第１巻付部５３１及び第２巻付部５３２、第１孔５４１Ａを有する第１貫通部５４１及び第２孔５４２Ａを有する第２貫通部５４２を有する。第１表示部５２１と第２表示部５２２とは、第１仮想ライン５５０Ａを軸として対称となる。第１巻付部５３１と第２巻付部５３２とは、第２仮想ライン５５０Ｂを軸として対称となる位置に配置される。第１貫通部５４１と第２貫通部５４２とは、第３仮想ライン５５０Ｃを軸として対称となる位置に配置される。第１孔５４１Ａと第２孔５４２Ａとは、第３仮想ライン５５０Ｃを軸として対称となる位置に配置される。第１貫通部５４１と第２貫通部５４２とのそれぞれの形状が相違する。【選択図】図５
2019066534.tif 000002
【特許請求の範囲】
【請求項１】
台紙と、粘着層を介して前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
第１孔及び／又は第１切れ目の少なくとも一部を有する第１貫通部、及び、第２孔及び／又は第２切れ目の少なくとも一部を有する第２貫通部と、
を有し、
前記第１表示部の少なくとも一部と前記第２表示部の少なくとも一部とは、第１仮想ラインを軸として対称となる位置に配置され、
前記第１巻付部の少なくとも一部と前記第２巻付部の少なくとも一部とは、第２仮想ラインを軸として対称となる位置に配置され、
前記第１貫通部の少なくとも一部と前記第２貫通部の少なくとも一部とは、第３仮想ラインを軸として対称となる位置に配置され、
前記第１孔及び／又は前記第１切れ目の少なくとも一部と前記第２孔及び／又は前記第２切れ目の少なくとも一部とは、前記第３仮想ラインを軸として対称となる位置に配置され、
前記第１貫通部と前記第２貫通部とのそれぞれの形状が相違することを特徴とするラベル媒体。
【請求項２】
前記第１貫通部の少なくとも一部に、切欠き、孔、スリットの少なくとも何れかを含む第１相違部が形成されたことを特徴とする請求項１に記載のラベル媒体。
【請求項３】
前記第１巻付部及び前記第１貫通部は、前記台紙の面と平行の第１方向に並び、
前記第１相違部は、
前記第１貫通部のうち、前記第１孔及び／又は前記第１切れ目に対して前記第１方向と直交する第１直交方向側の少なくとも一部に形成されたことを特徴とする請求項２に記載のラベル媒体。
【請求項４】
前記第１相違部の前記第１方向の長さは、前記第１孔及び／又は前記第１切れ目の前記第１方向の長さ以下であることを特徴とする請求項３に記載のラベル媒体。
【請求項５】
前記第１貫通部のうち、前記第１孔及び／又は前記第１切れ目に対して、前記第１方向において前記第１巻付部と近接する側の少なくとも一部に、切欠き、孔、スリットの少なくとも何れかを含む第２相違部が設けられたことを特徴とする請求項３又は４に記載のラベル媒体。
【請求項６】
前記第１巻付部及び前記第１貫通部は、前記台紙の面と平行の第１方向に並び、
前記第１相違部は、
前記第１貫通部のうち、前記第１孔及び／又は前記第１切れ目に対して、前記第１方向において前記第１巻付部から離隔する側の少なくとも一部に形成されたことを特徴とする請求項２に記載のラベル媒体。
【請求項７】
前記第１貫通部のうち、前記第１孔及び／又は前記第１切れ目に対して、前記第１方向において前記第１巻付部から離隔する側の少なくとも一部に、切欠き、孔、スリットの少なくとも何れかを含む第３相違部が更に形成されたことを特徴とする請求項３から５の何れかに記載のラベル媒体。
【請求項８】
台紙と、粘着層を介して前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
第１孔及び／又は第１切れ目の少なくとも一部を有する第１貫通部、及び、第２孔及び／又は第２切れ目の少なくとも一部を有する第２貫通部と、
を有し、
前記第１表示部の少なくとも一部と前記第２表示部の少なくとも一部とは、第１仮想ラインを軸として対称となる位置に配置され、
前記第１巻付部の少なくとも一部と前記第２巻付部の少なくとも一部とは、第２仮想ラインを軸として対称となる位置に配置され、
前記第１貫通部の少なくとも一部と前記第２貫通部の少なくとも一部とは、第３仮想ラインを軸として対称となる位置に配置され、
前記第１孔及び／又は前記第１切れ目の少なくとも一部と前記第２孔及び／又は前記第２切れ目の少なくとも一部とは、前記第３仮想ラインを軸として対称となる位置に配置され、
前記第１巻付部と前記第２巻付部とのそれぞれの形状が相違することを特徴とするラベル媒体。
【請求項９】
前記第１巻付部の少なくとも一部に、切欠き、孔、スリットの少なくとも何れかを含む第４相違部が形成されたことを特徴とする請求項８に記載のラベル媒体。
【請求項１０】
前記第１巻付部及び前記第１貫通部は、前記台紙の面と平行の第１方向に並び、
前記第４相違部の前記第１方向の長さは、前記第１孔及び／又は前記第１切れ目の前記第１方向の長さ以下であることを特徴とする請求項９に記載のラベル媒体。
【請求項１１】
台紙と、粘着層を介して前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
第１孔及び／又は第１切れ目の少なくとも一部を有する第１貫通部、及び、第２孔及び／又は第２切れ目の少なくとも一部を有する第２貫通部と、
を有し、
前記第１表示部の少なくとも一部と前記第２表示部の少なくとも一部とは、第１仮想ラインを軸として対称となる位置に配置され、
前記第１巻付部の少なくとも一部と前記第２巻付部の少なくとも一部とは、第２仮想ラインを軸として対称となる位置に配置され、
前記第１貫通部の少なくとも一部と前記第２貫通部の少なくとも一部とは、第３仮想ラインを軸として対称となる位置に配置され、
前記第１孔及び／又は前記第１切れ目の少なくとも一部と前記第２孔及び／又は前記第２切れ目の少なくとも一部とは、前記第３仮想ラインを軸として対称となる位置に配置され、
前記第１貫通部と前記第２貫通部とのそれぞれの形状が相違し、且つ、前記第１巻付部と前記第２巻付部とのそれぞれの形状が相違することを特徴とするラベル媒体。
【請求項１２】
前記第１貫通部の少なくとも一部に、切欠き、孔、スリットの少なくとも何れかを含む第５相違部が形成され、
前記第２巻付部の少なくとも一部に、切欠き、孔、スリットの少なくとも何れかを含む第６相違部が形成されたことを特徴とする請求項１１に記載のラベル媒体。
【請求項１３】
前記第１巻付部及び前記第１貫通部は、前記台紙の面と平行の第１方向に並び、
前記第５相違部は、
前記第１貫通部のうち、前記第１孔及び／又は前記第１切れ目に対して前記第１方向と直交する第１直交方向側の少なくとも一部に形成されたことを特徴とする請求項１２に記載のラベル媒体。
【請求項１４】
前記第１貫通部のうち、前記第１孔及び／又は前記第１切れ目に対して、前記第１方向において前記第１巻付部と近接する側の少なくとも一部に、切欠き、孔、スリットの少なくとも何れかを含む第７相違部が形成されたことを特徴とする請求項１３に記載のラベル媒体。
【請求項１５】
前記第１貫通部の少なくとも一部に、切欠き、孔、スリットの少なくとも何れかを含む第５相違部が形成され、
前記第１巻付部の少なくとも一部に、切欠き、孔、スリットの少なくとも何れかを含む第６相違部が形成されたことを特徴とする請求項１１に記載のラベル媒体。
【請求項１６】
前記第１巻付部及び前記第１貫通部は、前記台紙の面と平行の第１方向に並び、
前記第５相違部は、
前記第１貫通部のうち、前記第１孔及び／又は前記第１切れ目に対して、前記第１方向において前記第１巻付部から離隔する側の少なくとも一部に形成されたことを特徴とする請求項１５に記載のラベル媒体。
【請求項１７】
前記第１巻付部及び前記第２巻付部は、何れか一方に粘着層露出部を有し、
前記粘着層露出部は、前記第１貫通部の前記第１孔及び／又は前記第１切れ目、及び、前記第２貫通部の前記第２孔及び／又は前記第２切れ目に貫通することを特徴とする請求項１から１６の何れかに記載のラベル媒体。
【請求項１８】
前記第１貫通部及び前記第１巻付部の少なくとも一方に切れ目又はミシン目が形成され、
前記切れ目又は前記ミシン目に沿って前記ラベルが切断されることによって、切欠き、孔、スリットの少なくとも何れかを含む相違部が形成されることを特徴とする請求項１から１７の何れかに記載のラベル媒体。
【発明の詳細な説明】
【技術分野】
【０００１】
本発明は、ケーブル等の被着体に巻回されて保持されるラベルを作成するためのラベル媒体に関する。
【背景技術】
【０００２】
ケーブル等の被着体に巻回されることによって被着体に保持されるラベルが知られている。特許文献１は、複数のタグラベルを有する印刷シートを開示する。印刷シートの各タグラベルは、文字又は画像が印刷される胴部位、穴を囲む輪部位、及び、胴部位と輪部位とをつなぐ首部位を有する。使用者は、胴部位の全てを輪部位の穴に挿入して首部位をケーブルに巻き付ける。タグラベルの胴部位の幅は穴より大きく、胴部位は輪部位から抜け難い構成となっている為、タグラベルはケーブルに保持される。
【先行技術文献】
【特許文献】
【０００３】
【特許文献１】特開２０１２−３７８５３号公報
【発明の概要】
【発明が解決しようとする課題】
【０００４】
上記のタグラベルは、ケーブル等の被着体に保持された後、胴部位が輪部位から抜けてしまう可能性があり、好ましくない。又、上記タグラベルは、ケーブル等の被着体に保持された後も、被着体の姿勢によっては、被着体の延伸方向に沿って移動してしまい、好ましくない。
【０００５】
本発明の目的は、胴部位が輪部位から抜け難く、又は、被着体の延伸方向に沿って移動し難いラベルを作成するためのラベル媒体を提供することである。
【課題を解決するための手段】
【０００６】
本発明の第１態様に係るラベル媒体は、台紙と、粘着層を介して前記台紙に貼付されたラベルとを含むラベル媒体であって、前記ラベルは、情報が印刷される領域を有する第１表示部及び第２表示部と、被着体に巻き付けられる第１巻付部及び第２巻付部と、第１孔及び／又は第１切れ目の少なくとも一部を有する第１貫通部、及び、第２孔及び／又は第２切れ目の少なくとも一部を有する第２貫通部と、を有し、前記第１表示部の少なくとも一部と前記第２表示部の少なくとも一部とは、第１仮想ラインを軸として対称となる位置に配置され、前記第１巻付部の少なくとも一部と前記第２巻付部の少なくとも一部とは、第２仮想ラインを軸として対称となる位置に配置され、前記第１貫通部の少なくとも一部と前記第２貫通部の少なくとも一部とは、第３仮想ラインを軸として対称となる位置に配置され、前記第１孔及び／又は前記第１切れ目の少なくとも一部と前記第２孔及び／又は前記第２切れ目の少なくとも一部とは、前記第３仮想ラインを軸として対称となる位置に配置され、前記第１貫通部と前記第２貫通部とのそれぞれの形状が相違することを特徴とする。
【０００７】
第１態様において、第１貫通部及び第２貫通部は互いに形状が異なる。このため、第１貫通部及び第２貫通部が貼り合わせられた場合、粘着層の粘着剤が露出する。従ってラベルは、貼り合わせられた貫通部のうち粘着層の露出部分を、被着体又は巻付部に貼付させることができる。例えばラベルは、貼り合わせられた貫通部のうち粘着層の露出部分を巻付部に貼付させることによって、表示部が孔／切れ目からから抜け難くできる。又、例えばラベルは、貼り合わせられた貫通部のうち粘着層の露出部分を被着体に貼付させることによって、被着体の延伸方向に移動し難くできる。
【０００８】
本発明の第２態様に係るラベル媒体は、台紙と、粘着層を介して前記台紙に貼付されたラベルとを含むラベル媒体であって、前記ラベルは、情報が印刷される領域を有する第１表示部及び第２表示部と、被着体に巻き付けられる第１巻付部及び第２巻付部と、第１孔及び／又は第１切れ目の少なくとも一部を有する第１貫通部、及び、第２孔及び／又は第２切れ目の少なくとも一部を有する第２貫通部と、を有し、前記第１表示部の少なくとも一部と前記第２表示部の少なくとも一部とは、第１仮想ラインを軸として対称となる位置に配置され、前記第１巻付部の少なくとも一部と前記第２巻付部の少なくとも一部とは、第２仮想ラインを軸として対称となる位置に配置され、前記第１貫通部の少なくとも一部と前記第２貫通部の少なくとも一部とは、第３仮想ラインを軸として対称となる位置に配置され、前記第１孔及び／又は前記第１切れ目の少なくとも一部と前記第２孔及び／又は前記第２切れ目の少なくとも一部とは、前記第３仮想ラインを軸として対称となる位置に配置され、前記第１巻付部と前記第２巻付部とのそれぞれの形状が相違することを特徴とする。
【０００９】
第２態様において、第１巻付部及び第２巻付部は互いに形状が異なる。このため、第１巻付部及び第２巻付部が貼り合わせられた場合、粘着層の粘着剤が露出する。従ってラベルは、貼り合わせられた巻付部のうち粘着層の露出部分を、被着体又は貫通部に貼付させることができる。例えばラベルは、貼り合わせられた巻付部のうち粘着層の露出部分を貫通部に貼付させることによって、表示部が孔／切れ目からから抜け難くできる。又、例えばラベルは、貼り合わせられた巻付部のうち粘着層の露出部分を被着体に貼付させることによって被着体の延伸方向に移動し難くできる。
【００１０】
本発明の第３態様に係るラベル媒体は、台紙と、粘着層を介して前記台紙に貼付されたラベルとを含むラベル媒体であって、前記ラベルは、情報が印刷される領域を有する第１表示部及び第２表示部と、被着体に巻き付けられる第１巻付部及び第２巻付部と、第１孔及び／又は第１切れ目の少なくとも一部を有する第１貫通部、及び、第２孔及び／又は第２切れ目の少なくとも一部を有する第２貫通部と、を有し、前記第１表示部の少なくとも一部と前記第２表示部の少なくとも一部とは、第１仮想ラインを軸として対称となる位置に配置され、前記第１巻付部の少なくとも一部と前記第２巻付部の少なくとも一部とは、第２仮想ラインを軸として対称となる位置に配置され、前記第１貫通部の少なくとも一部と前記第２貫通部の少なくとも一部とは、第３仮想ラインを軸として対称となる位置に配置され、前記第１孔及び／又は前記第１切れ目の少なくとも一部と前記第２孔及び／又は前記第２切れ目の少なくとも一部とは、前記第３仮想ラインを軸として対称となる位置に配置され、前記第１貫通部と前記第２貫通部とのそれぞれの形状が相違し、且つ、前記第１巻付部と前記第２巻付部とのそれぞれの形状が相違することを特徴とする。
【００１１】
第３態様において、第１貫通部及び第２貫通部は互いに形状が異なり、且つ、第１巻付部及び第２巻付部は互いに形状が異なる。このため、第１貫通部及び第２貫通部が貼り合わせられた場合、粘着層の粘着剤が露出し、第１巻付部及び第２巻付部が貼り合わせられた場合、粘着層の粘着剤が露出する。従ってラベルは、貫通部及び巻付部のそれぞれのうち粘着層の露出部分を、被着体又は貫通部及び巻付部に貼付させることができる。例えば、ラベルは、貫通部のうち粘着層の露出部分を巻付部に貼付させることによって、表示部が孔／切れ目からから抜け難くできる。又、例えばラベルは、貫通部のうち粘着層の露出部分を被着体に貼付させることによって、被着体の延伸方向に移動し難くすることができる。又、例えばラベルは、巻付部のうち粘着層の露出部分を貫通部に貼付させることによって、表示部が孔／切れ目からから抜け難くできる。又、例えばラベルは、巻付部のうち粘着層の露出部分を被着体に貼付させることによって被着体の延伸方向に移動し難くすることができる。
【図面の簡単な説明】
【００１２】
【図１】印字装置１の右後下方からの斜視図である。
【図２】カバー５を開けた状態の印字装置１の斜視図である。
【図３】保護部３６の一部を切り欠いた平面図である。
【図４】テープカセット４の上ケース４７１を取り外した場合の平面図である。
【図５】第１ラベル媒体６０Ａを示す図である。
【図６】第２ラベル媒体６０Ｂを示す図である。
【図７】第３ラベル媒体６０Ｃを示す図である。
【図８】第４ラベル媒体６０Ｄを示す図である。
【図９】第５ラベル媒体６０Ｅを示す図である。
【図１０】第６ラベル媒体６０Ｆを示す図である。
【図１１】第７ラベル媒体６０Ｇを示す図である。
【図１２】第８ラベル媒体６０Ｈを示す図である。
【図１３】第９ラベル媒体６０Ｉを示す図である。
【図１４】第１０ラベル媒体６０Ｊを示す図である。
【図１５】変形例における第１ラベル媒体６０Ａを示す図である。
【発明を実施するための形態】
【００１３】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。
【００１４】
＜印字装置１の概略構成＞
本実施形態に係る印字装置１の概略構成について、図１から図３を参照して説明する。以下の説明では、図１の上方、下方、右下方、左上方、右上方、左下方を、それぞれ、印字装置１の前方、後方、右方、左方、上方、および下方と定義する。
【００１５】
図１に示すように、印字装置１の形状は、略直方体状である。印字装置１は、本体筐体２とカバー５とを有する。本体筐体２およびカバー５は樹脂製である。本体筐体２の上面の下側部分には、キーボード１１が設けられる。キーボード１１は種々の文字入力等を行う。キーボード１１の上方には、機能キー群１２が設けられる。機能キー群１２は、電源の入切、印字キーや印字装置１の各種制御を行う。機能キー群１２の上方には、液晶ディスプレイ１３が設けられる。液晶ディスプレイ１３は、入力した文字や記号等を表示する。カバー５は、本体筐体２の後側に開閉自在に取り付けられる。
【００１６】
図２、図３に示すように、本体筐体２の右下側角部には、３本の電池を着脱可能な電池装着部２１が設けられる。電池装着部２１の上側に隣接して、カセット装着部２２が設けられる。カセット装着部２２は、テープカセット４を後方から着脱可能である。カセット装着部２２の下端部から後方に向けてフック２５１が突出し、カセット装着部２２の上端部から後方に向けてフック２５２が突出する。フック２５１、２５２は、カセット装着部２２に装着されたテープカセット４に係合可能である。
【００１７】
本体筐体２の上側には、ラベル排出口２６が設けられる。ラベル排出口２６の右側の角部には、切断用ノブ１４が設けられる。切断用ノブ１４は、内側へ押圧操作されることによって、ラベル排出口２６の内側に設けられた可動刃１４１を固定刃１４２側へ移動させて、印刷済みのラベル媒体６０（図４参照）を切断する。固定刃１４２と可動刃１４１とによって切断された印刷済みのラベル媒体６０は、ラベル排出口２６から排出される。
【００１８】
図３に示すように、カセット装着部２２には、サーマルヘッド２９、プラテンローラ３０、テープサブローラ３１、テープ駆動ローラ軸３２およびリボン巻取軸３３等が配置される。プラテンローラ３０は、サーマルヘッド２９の右方に設けられる。テープサブローラ３１は、プラテンローラ３０の上側近傍に設けられる。テープ駆動ローラ軸３２は、テープサブローラ３１の左側に設けられる。リボン巻取軸３３は、カセット装着部２２の略中央に設けられる。
【００１９】
サーマルヘッド２９は、ヘッドホルダ２９１の右方を向く面に配設される。ヘッドホルダ２９１は、テープカセット４のヘッド挿入部４２におけるラベル媒体６０の搬送方向に略直交するように、カセット装着部２２に設けられる。
【００２０】
リボン巻取軸３３は、テープカセット４に設けられたリボン巻取スプール４３１に嵌入されて回転駆動する。テープ駆動ローラ軸３２は、テープカセット４に設けられたテープ送りローラ４３２に嵌入されて回転駆動する。リボン巻取軸３３とテープ駆動ローラ軸３２とは、ラベル媒体６０とインクリボン４１３（図４参照）とが同じ搬送速度で搬送されるように回転駆動される。
【００２１】
図２に示すように、本体筐体２の上下方向略中央より上側の右端部には、保護部３６が設けられる。保護部３６は、左方へ開口する。保護部３６には、貫通孔であるカム案内孔３６１およびカム案内孔３６２が形成される。保護部３６の前方には、図３に示すプラテンホルダ３８が、回動軸３７を中心に回動可能に軸支される。プラテンローラ３０とテープサブローラ３１とが、プラテンホルダ３８によって、平面視反時計回りに回転可能に軸支される。非図示のバネは、プラテンホルダ３８が回動軸３７を中心に右方へ回動するように付勢する。
【００２２】
＜テープカセット４の概略構成＞
テープカセット４の概略構成について説明する。なお、以下の説明では、図４の下方、上方、右方、左方、紙面前方、および紙面後方を、それぞれ、テープカセット４の前方、後方、右方、左方、上方、および下方とする。
【００２３】
図２に示すように、テープカセット４の形状は、平面視略長方形の箱型状である。テープカセット４は、上ケース４７１及び下ケース４７２を有する。図４に示すように、テープカセット４には、支持孔７１１、支持孔７１２、および支持孔７１３が形成される。支持孔７１１は、テープスプール７２を回動可能に支持する。ラベル媒体６０は、テープスプール７２に巻回される。テープスプール７２は、ラベル媒体６０が巻回されたロール６００を保持する。支持孔７１２は、リボン巻取スプール４３１を支持する。リボン巻取スプール４３１は、リボンスプール７４からインクリボン４１３を巻き取る。テープスプール７２およびリボンスプール７４は、それぞれ、下ケース４７２の下面に立設されたカセットボス７５１およびリールボス７５２に回転可能に嵌挿される。支持孔７１３は、テープ送りローラ４３２を回転可能に支持する。テープ送りローラ４３２とテープサブローラ３１（図３参照）とにより、テープスプール７２のロール６００からラベル媒体６０を引き出す。
【００２４】
テープカセット４の前面部には、アーム状に突出するアーム部４５が設けられる。ヘッド挿入部４２は、アーム部４５とアーム部４５に対向する側壁部７８１とによって、平面視略Ｕ字状に形成される。ヘッド挿入部４２には、ヘッドホルダ２９１（図３参照）が挿入される。
【００２５】
テープ送りローラ４３２の前側近傍には、上下一対の案内部材４９が設けられる。案内部材４９の後側近傍には、リボン分離部７６が設けられる。アーム部４５の前面壁部７０１と、ヘッド挿入部４２側の背面壁部７８３との間の中央部には、薄板状の分離壁７８２が設けられる。分離壁７８２の左側近傍には、アーム開口部７９が形成される。
【００２６】
＜印刷手順の概要＞
図２、図３、図４に示すように、テープカセット４のリボン巻取スプール４３１およびテープ送りローラ４３２に、それぞれ、リボン巻取軸３３およびテープ駆動ローラ軸３２が嵌入されつつ、ヘッド挿入部４２にヘッドホルダ２９１が挿入される。カセット装着部２２の底面部に立設された位置決ボス４１が、カセットボス７５１に嵌入される。これにより、テープカセット４は、位置決めされた状態で押し込まれ、カセット装着部２２に装着される。テープカセット４がカセット装着部２２に装着された後、カバー５が閉じられる。カバー５が閉じた場合、カバー５に設けられたローラホルダカム（非図示）が、カム案内孔３６１に嵌入される。ローラホルダカムは、プラテンホルダ３８を左方へ押圧する。プラテンホルダ３８は、非図示のバネの付勢力に抗して左方へ回動される。
【００２７】
ラベル媒体６０は、テープスプール７２からガイドピン７３２を経てアーム部４５の前面壁部７０１と分離壁７８２との間を搬送される。インクリボン４１３は、リボンスプール７４からガイドピン７３３を経てアーム部４５の背面壁部７８３と分離壁７８２との間を搬送される。次いで、インクリボン４１３とラベル媒体６０とは、重ね合わされてアーム開口部７９からヘッド挿入部４２へ搬送される。次いで、ラベル媒体６０とインクリボン４１３とは、プラテンローラ３０によってサーマルヘッド２９に押圧される。サーマルヘッド２９の発熱により、インクリボン４１３は上側から加熱される。これにより、ラベル媒体６０にインクが熱転写され、文字等の情報が印刷される。
【００２８】
次いで、インクリボン４１３は、リボン分離部７６によってラベル媒体６０から分離される。分離されたインクリボン４１３は、ガイドピン７３１を経てリボン巻取スプール４３１に巻き取られる。リボン分離部７６によってインクリボン４１３が分離された印刷済みのラベル媒体６０は、案内部材４９によって上下方向に規制されてテープ送りローラ４３２へ搬送される。次いで、印刷済みのラベル媒体６０は、テープ駆動ローラ軸３２によって回転駆動されるテープ送りローラ４３２に対し、テープサブローラ３１によって押圧される。印刷済みのラベル媒体６０は、テープ送りローラ４３２の回転によりラベル排出口２６から排出される。
【００２９】
＜第１実施例：第１ラベル媒体６０Ａ＞
図５を参照し、ラベル媒体６０の第１実施例である第１ラベル媒体６０Ａについて説明する。第１ラベル媒体６０Ａは、それぞれが長尺状の基材５１１及び台紙５１２を有する。基材５１１及び台紙５１２は同一形状を有する。基材５１１は、ラベル６１Ａ、６１Ｂ、６１Ｃ・・・（総称して「ラベル６１」という。）、及び、枠状部５０を有する。ラベル６１Ａ、６１Ｂ、６１Ｃ・・・は、第１ラベル媒体６０Ａの長尺方向に並んで配置される。ラベル６１には、インクリボン４１３（図４参照）のインクが転写される。台紙５１２は、ラベル６１の使用時に剥離される剥離紙である。基材５１１（ラベル６１及び枠状部５０）と台紙５１２とは積層される。基材５１１と台紙５１２とのそれぞれの対向面に、粘着剤が塗布される。粘着剤は、基材５１１と台紙５１２との間に粘着層を形成する。ラベル６１及び枠状部５０は、粘着剤によって台紙５１２に貼付される。図５（Ａ）の左右方向は、第１ラベル媒体６０Ａの基材５１１及び台紙５１２のそれぞれの面と平行に延び、第１ラベル媒体６０Ａの長尺方向に対応する。第１ラベル媒体６０Ａのうち図５（Ａ）の右側の端部は、テープスプール７２に接続する。第１ラベル媒体６０Ａは、図５（Ａ）の左側の端部側から順にサーマルヘッド２９の近傍を通過して印刷が実行され、ラベル排出口２６を介して排出される。
【００３０】
以下、第１ラベル媒体６０Ａの長尺方向のうちテープスプール７２に接続する側と反対側（図５（Ａ）における左側）を、「第１側」といい、第１ラベル媒体６０Ａの長尺方向のうちテープスプール７２に接続する側（図５（Ａ）における右側）を、「第２側」という。長尺方向と直交する方向を「直交方向」という。直交方向のうち一方側（図５（Ａ）における上側）を、「第３側」といい、直交方向のうち他方側（図５（Ａ）における下側）を、「第４側」という。
【００３１】
ラベル６１は、第１表示部５２１、第２表示部５２２、第１巻付部５３１、第２巻付部５３２、第１貫通部５４１、第２貫通部５４２を有する。第１表示部５２１及び第２表示部５２２は同一形状且つ同一サイズを有する。第１巻付部５３１及び第２巻付部５３２は同一形状且つ同一サイズを有する。第１貫通部５４１、第２貫通部５４２は、それぞれ形状が相違する。第１表示部５２１、第２表示部５２２を総称して「表示部５２」という。第１巻付部５３１、第２巻付部５３２を総称して「巻付部５３」という。第１貫通部５４１、第２貫通部５４２を総称して「貫通部５４」という。
【００３２】
表示部５２は略長方形である。表示部５２の長手方向は長尺方向に延びる。第１表示部５２１及び第２表示部５２２は、直交方向に並ぶ。第１表示部５２１は、第２表示部５２２に対して第３側に配置される。第１表示部５２１の第４側の端部と、第２表示部５２２の第３側の端部とは、第１ライン５５１を介して互いに連結される。第１ライン５５１は、長尺方向と平行に延びる。第１ライン５５１は、基材５１１に形成されたミシン目である。第１ライン５５１を通って長尺方向に延びる仮想的なラインを、「第１仮想ライン５５０Ａ」という。第１表示部５２１及び第２表示部５２２は、第１仮想ライン５５０Ａを基準として線対称となる位置に配置される。
【００３３】
表示部５２はインクリボン４１３（図４参照）のインクが転写されることによって情報が印刷される領域５２Ａを有する。第１表示部５２１が有する領域５２Ａを、「領域５２１Ａ」といい、第２表示部５２２が有する領域５２Ａを、「領域５２２Ａ」という。
【００３４】
巻付部５３は略長方形である。巻付部５３の長手方向は長尺方向に延びる。巻付部５３の直交方向の長さは、表示部５２の直交方向の長さよりも短い。巻付部５３は、表示部５２の第１側の端部のうち直交方向の中央から、第１側に向けて延びる。第１巻付部５３１及び第２巻付部５３２は、間隔を空けて直交方向に並ぶ。第１巻付部５３１は、第２巻付部５３２に対して第３側に配置される。第１巻付部５３１及び第２巻付部５３２は、第１仮想ライン５５０Ａと同じ位置を通過する第２仮想ライン５５０Ｂを基準として線対称となる位置に配置される。
【００３５】
貫通部５４は略長方形である。貫通部５４の長手方向は長尺方向に延びる。貫通部５４の直交方向の長さは、表示部５２の直交方向の長さと同一であり、巻付部５３の直交方向の長さよりも長い。貫通部５４は、巻付部５３の第１側の端部から第１側に向けて延びる。表示部５２、巻付部５３、及び貫通部５４は、この順で、長尺方向に沿って第１側に向けて並ぶ。第１貫通部５４１及び第２貫通部５４２は、直交方向に並ぶ。第１貫通部５４１は、第２貫通部５４２に対して第３側に配置される。第１貫通部５４１の第４側の端部と、第２貫通部５４２の第３側の端部とは、第２ライン５５２を介して互いに連結される。第２ライン５５２は、第１仮想ライン５５０Ａ及び第２仮想ライン５５０Ｂと同じ位置を通過する第３仮想ライン５５０Ｃに沿って延びる。第２ライン５５２は、基材５１１に形成されたミシン目である。第１貫通部５４１及び第２貫通部５４２は、後述する第１相違部８１を除き、第３仮想ライン５５０Ｃを基準として線対称となる位置に配置される。
【００３６】
第１貫通部５４１は第１孔５４１Ａを有し、第２貫通部５４２は第２孔５４２Ａを有する。第１孔５４１Ａ、第２孔５４２Ａは略長方形であり、互いに同一形状且つ同一サイズを有する。第１孔５４１Ａ、第２孔５４２Ａは、第３仮想ライン５５０Ｃを基準として線対称となる位置に配置される。第１孔５４１Ａ、第２孔５４２Ａを総称して、「孔５４Ａ」という。ラベル６１は、表示部５２及び巻付部５３が貫通部５４の孔５４Ａに貫通することによって、被着体Ｋに取り付けられる。
【００３７】
第１貫通部５４１は、スリット状の第１相違部８１Ａ、８１Ｂを有する。第１相違部８１Ａは、第１貫通部５４１のうち第１孔５４１Ａに対して第３側に形成される。第１相違部８１Ｂは、第１貫通部５４１のうち第１孔５４１Ａに対して第４側に形成される。第１相違部８１Ａ、８１Ｂを総称して、「第１相違部８１」という。第１相違部８１は直交方向に延びる。第１貫通部５４１は第１相違部８１によって、第１側の部分と第２側の部分とに分割される。
【００３８】
第１孔５４１Ａの長尺方向の長さを、「Ａ１」と表記する。第１相違部８１の長尺方向の長さを、「Ｂ１」と表記する。このとき、Ｂ１（第１相違部８１の長尺方向の長さ）は、Ａ１（第１孔５４１Ａの長尺方向の長さ）よりも小さくなる。
【００３９】
枠状部５０は、基材５１１のうちラベル６１を除く部位である。基材５１１のうちラベル６１と枠状部５０との境界部分には、切れ目が形成される。使用者は、基材５１１を切れ目によって切り離すことによって、台紙５１２からラベル６１のみを剥がすことができる。この時、枠状部５０が台紙５１２に貼付された状態は維持される。
【００４０】
図５（Ｂ）を参照し、ケーブル状の被着体Ｋに対するラベル６１の取り付け方法について説明する。印字装置１は、ラベル６１の表示部５２の領域５２Ａに対して情報を印刷する。なお、図５（Ｂ）では、印刷された情報は省略されている。（ａ）に示すように、第１ラベル媒体６０Ａの台紙５１２からラベル６１が剥がされる。（ｂ）に示すように、使用者は、ラベル６１を第１ライン５５１及び第２ライン５５２で折り曲げ、ラベル６１のうち粘着剤が塗布された面同士を貼り合わせる。ここで、第１表示部５２１及び第２表示部５２２は、第１ライン５５１を通過する第１仮想ライン５５０Ａ（図５（Ａ）参照）を基準として線対称の形状を有する。第１巻付部５３１及び第２巻付部５３２は、第１仮想ライン５５０Ａと同じ位置を通過する第２仮想ライン５５０Ｂ（図５（Ａ）参照）を基準として線対称の形状を有する。従って、第１表示部５２１及び第２表示部５２２、第１巻付部５３１及び第２巻付部５３２は、それぞれ、第１ライン５５１及び第２ライン５５２によってラベル６１が折り曲げられたときにずれなく貼付される。
【００４１】
一方、第２貫通部５４２の粘着剤が塗布された面のうち、第１貫通部５４１の第１相違部８１に対応する部分（以下、「露出部分８１０」という。）は、第１ライン５５１及び第２ライン５５２によってラベル６１が折り曲げられたときに露出する。これに対し、第２貫通部５４２のうち露出部分８１０を除く部分と第１貫通部５４１とは、第２ライン５５２を通過する第３仮想ライン５５０Ｃ（図５参照）を基準として線対称の形状を有する。又、第１孔５４１Ａ、第２孔５４２Ａは、第３仮想ライン５５０Ｃを基準として線対称となる位置に配置される。従って、それぞれは、第１ライン５５１及び第２ライン５５２によってラベル６１が折り曲げられたときにずれなく貼付される。
【００４２】
次に使用者は、（ｃ）に示すように、巻付部５３を折り曲げ、表示部５２及び巻付部５３を貫通部５４の孔５４Ａに通す。これにより、巻付部５３は被着体Ｋに巻き付く。このとき、露出部分８１０が内側に配置された状態で巻かれるように、向きが調整される。次に使用者は、（ｄ）に示すように、表示部５２及び巻付部５３を引っ張る。被着体Ｋに対して巻付部５３が締め付けられる。又、露出部分８１０の粘着剤は、被着体Ｋに接触して貼付される。これにより、被着体Ｋに対するラベル６１の取り付けは完了する。ラベル６１は、被着体Ｋに巻付部５３が巻き付いた状態で、被着体Ｋに保持される。
【００４３】
＜第１実施例の作用、効果＞
第１ラベル媒体６０Ａの台紙５１２から剥離されたラベル６１は、第１表示部５２１と第２表示部５２２、第１巻付部５３１と第２巻付部５３２、第１貫通部５４１と第２貫通部５４２、及び、第１孔５４１Ａと第２孔５４２Ａが互いに貼り合わせられるように折り曲げられる。折り曲げられたラベル６１は、孔５４Ａに表示部５２が挿通され、且つ、被着体Ｋに巻付部５３が巻回されることによって、被着体Ｋに固定される。ここで、第１貫通部５４１及び第２貫通部５４２は互いに形状が相違する。このため、第１貫通部５４１及び第２貫通部５４２が貼り合わせられた場合、露出部分８１０において粘着剤が露出する。従ってラベル６１は、貼り合わせられた貫通部５４のうち露出部分８１０を被着体Ｋに貼付させることができる。これによって、ラベル６１が被着体Ｋの延伸方向に移動することを抑制できる。
【００４４】
ラベル６１では、第１貫通部５４１に第１相違部８１が形成される。このため、第２ライン５５２でラベル６１が折り曲げられた場合、第１貫通部５４１の第１相違部８１から、第２貫通部５４２の露出部分８１０が露出する。このように、ラベル６１では、第１貫通部５４１に第１相違部８１を形成させることによって、巻付部５３が被着体Ｋに巻回された状態で被着体Ｋに接触する部分（露出部分８１０）を適切に露出させ、被着体Ｋに貼付できる。
【００４５】
巻付部５３及び貫通部５４は長尺方向に並ぶ。第１相違部８１は、第１貫通部５４１のうち、第１孔５４１Ａに対して直交方向の第３側及び第４側に設けられたスリットである。第１相違部８１Ａは、第１貫通部５４１のうち第１孔５４１Ａに対して第３側の一部に形成される。第１相違部８１Ｂは、第１貫通部５４１のうち第１孔５４１Ａに対して第４側の一部に形成される。ここで、被着体Ｋは、貫通部５４と巻付部５３とによって形成された環状部分の内側を通過する。このため、第１相違部８１を上記の位置に形成させることによって、環状部分を通過する被着体Ｋと接触する部分に露出部分８１０を配置させることが容易に可能となる。従って、ラベル６１は、露出部分８１０を被着体Ｋに適切に貼付することによって、ラベル６１を被着体Ｋに直接貼付できる。
【００４６】
第１相違部８１の長尺方向の長さＢ１は、第１孔５４１Ａの長尺方向の長さＡ１よりも小さい。この場合、ラベル６１は、貫通部５４のうち被着体Ｋに接触する部分に露出部分８１０を適切に配置させつつ、第１相違部８１の長尺方向の長さを小さくできる。従って、ラベル６１は、貫通部５４の強度を維持できる。
【００４７】
＜第２実施例：第２ラベル媒体６０Ｂ＞
図６を参照し、ラベル媒体６０の第２実施例である第２ラベル媒体６０Ｂについて説明する。第１ラベル媒体６０Ａ（図５参照）と異なる点は、第１相違部８１に加えて第２相違部８２が第１貫通部５４１に形成される点である。その他の構成は第１ラベル媒体６０Ａと同一である。第２ラベル媒体６０Ｂのラベル６２（ラベル６２Ａ、６２Ｂ、６２Ｃ・・・）は、第１ラベル媒体６０Ａのラベル６１（ラベル６１Ａ、６１Ｂ、６１Ｃ・・・、図５参照）に対応する。以下、第１ラベル媒体６０Ａと同一構成については、第１ラベル媒体６０Ａと同一符号を付し、説明を省略する。
【００４８】
図６（Ａ）に示すように、第２相違部８２は、第１貫通部５４１のうち、第１孔５４１Ａに対して第２側に形成される。第２相違部８２は、第１貫通部５４１のうち第１孔５４１Ａよりも第２側の部分全域が切り欠かれることにより形成される切欠きである。第２相違部８２は、第１巻付部５３１の第１側の端部に対して第１側に形成される。第１相違部８１及び第２相違部８２は、一体となって共通の相違部を形成する。
【００４９】
図６（Ｂ）を参照し、被着体Ｋに対するラベル６２の取り付け方法について説明する。（ａ）に示すように、第２ラベル媒体６０Ｂの台紙５１２からラベル６２が剥がされる。（ｂ）に示すように、使用者は、ラベル６２を第１ライン５５１及び第２ライン５５２で折り曲げ、ラベル６２のうち粘着剤が塗布された面同士を貼り合わせる。このとき、第２貫通部５４２の粘着剤が塗布された面のうち、第１貫通部５４１の第１相違部８１に対応する露出部分８１０、及び、第２相違部８２に対応する部分（以下、「露出部分８２０」という。）は、第２ライン５５２によってラベル６２が折り曲げられたときに露出する。次に、（ｃ）に示すように、使用者は巻付部５３を折り曲げ、表示部５２及び巻付部５３を貫通部５４の孔５４Ａに通す。これにより、巻付部５３は被着体Ｋに巻き付く。このとき、（ｄ）に示すように、露出部分８１０、及び、露出部分８２０のうち貫通部５４側の一部分のそれぞれの粘着剤は、被着体Ｋに貼付される。これにより、被着体Ｋに対するラベル６２の取り付けは完了する。ラベル６２は、被着体Ｋに巻付部５３が巻き付いた状態で、被着体Ｋに保持される。
【００５０】
＜第２実施例の作用、効果＞
ラベル６２では、第１貫通部５４１に第１相違部８１及び第２相違部８２が形成される。第２相違部８２は、第１貫通部５４１のうち、第１孔５４１Ａに対して第２側、言い換えれば、第１孔５４１Ａに対して第１巻付部５３１と近接する側に設けられた切欠きである。第２ライン５５２によってラベル６２が折り曲げられた場合、第１貫通部５４１の第１相違部８１から、第２貫通部５４２の露出部分８１０が露出すると同時に、第１貫通部５４１の第２相違部８２から、第２貫通部５４２の露出部分８２０が露出する。露出部分８１０、８２０は、この部分で露出した接着剤により被着体Ｋに貼付される。この場合、ラベル６２のより広い範囲で粘着剤が露出することになるので、被着体Ｋに貼付される露出部分８１０、８２０の面積も大きくなる。従って、被着体Ｋにラベル６２を更に強固に貼付できる。
【００５１】
＜第３実施例：第３ラベル媒体６０Ｃ＞
図７を参照し、ラベル媒体６０の第３実施例である第３ラベル媒体６０Ｃについて説明する。第１ラベル媒体６０Ａ（図５参照）と異なる点は、第１相違部８１の代わりに第１相違部８３が第１貫通部５４１に形成される点である。その他の構成は第１ラベル媒体６０Ａと同一である。第３ラベル媒体６０Ｃのラベル６３（ラベル６３Ａ、６３Ｂ、６３Ｃ・・・）は、第１ラベル媒体６０Ａのラベル６１（ラベル６１Ａ、６１Ｂ、６１Ｃ・・・、図５参照）に対応する。以下、第１ラベル媒体６０Ａと同一構成については、第１ラベル媒体６０Ａと同一符号を付し、説明を省略する。
【００５２】
図７（Ａ）に示すように、第１相違部８３はスリット状であり、第１貫通部５４１のうち、第１孔５４１Ａに対して第１側に形成される。第１相違部８３は、長尺方向に延びる。第１相違部８３の直交方向の長さは、第１孔５４１Ａの直交方向の長さよりも短い。
【００５３】
図７（Ｂ）を参照し、被着体Ｋに対するラベル６３の取り付け方法について説明する。（ａ）に示すように、第３ラベル媒体６０Ｃの台紙５１２からラベル６３が剥がされる。（ｂ）に示すように、使用者は、ラベル６３を第１ライン５５１及び第２ライン５５２で折り曲げ、ラベル６３のうち粘着剤が塗布された面同士を貼り合わせる。このとき、第２貫通部５４２の粘着剤が塗布された面のうち、第１貫通部５４１の第１相違部８３に対応する露出部分８３０は、第２ライン５５２によってラベル６２が折り曲げられたときに露出する。次に、（ｃ）に示すように、使用者は巻付部５３を折り曲げ、表示部５２及び巻付部５３を貫通部５４の孔５４Ａに通す。このとき、露出部分８３０が外側に配置された状態で巻かれるように、向きが調整される。これにより、巻付部５３は被着体Ｋに巻き付く。このとき、（ｄ）に示すように、露出部分８３０は巻付部５３の一部に対向して重複し、露出部分８３０の粘着剤は巻付部５３に貼付される。これにより、被着体Ｋに対するラベル６３の取り付けは完了する。ラベル６３は、被着体Ｋに巻付部５３が巻き付いた状態で、被着体Ｋに保持される。
【００５４】
＜第３実施例の作用、効果＞
ラベル６３では、第１貫通部５４１に第１相違部８３が形成される。第１相違部８３は、第１貫通部５４１のうち、第１孔５４１Ａに対して第１側、言い換えれば、第１孔５４１Ａに対して第１巻付部５３１から離隔する側に設けられたスリットである。第２ライン５５２によってラベル６３が折り曲げられた場合、第１貫通部５４１の第１相違部８３から、第２貫通部５４２の露出部分８３０が露出する。巻付部５３が被着体Ｋに巻き付けられた状態で、露出部分８３０は巻付部５３の一部に対向して重複する。つまり、ラベル６３は、貫通部５４のうち巻付部５３との重複部分で。露出部分８３０により粘着層を露出させることができる。従って、ラベル６３は、貫通部５４のうち粘着剤が露出した露出部分８３０を巻付部５３に貼付できる。この場合、被着体Ｋに巻き付いた巻付部５３が緩むことを抑制できるので、孔５４Ａから表示部５２を抜け難くすることができる。
【００５５】
＜第４実施例：第４ラベル媒体６０Ｄ＞
図８を参照し、ラベル媒体６０の第４実施例である第４ラベル媒体６０Ｄについて説明する。第４ラベル媒体６０Ｄのラベル６４（ラベル６４Ａ、６４Ｂ、６４Ｃ・・・）は、第１ラベル媒体６０Ａのラベル６１（ラベル６１Ａ、６１Ｂ、６１Ｃ・・・、図５参照）に対応する。以下、第１ラベル媒体６０Ａと同一構成については、第１ラベル媒体６０Ａと同一符号を付し、説明を省略する。
【００５６】
図８（Ａ）に示すように、ラベル６４の第１貫通部５４１には、第１相違部８４（第１相違部８４Ａ、８４Ｂ）、第２相違部８５、及び第３相違部８６が形成される。第１相違部８４は、第１ラベル媒体６０Ａのラベル６１（図５参照）における第１相違部８１（図５参照）に対応する。第１相違部８４Ａ、８４Ｂは、それぞれ、ラベル６１（図５参照）における第１相違部８１Ａ、８１Ｂ（図５参照）に対応する。第２相違部８５は、第２ラベル媒体６０Ｂのラベル６２（図６参照）における第２相違部８２（図６参照）に対応する。
【００５７】
第３相違部８６は、第１貫通部５４１のうち、第１孔５４１Ａに対して第１側に形成される。第３相違部８６は、第１孔５４１Ａを形成する内周部に設けられた切欠きであり、内周部の第１側の端部から、第１側に向けて延びる。第３相違部８６の直交方向の長さは、第１孔５４１Ａの直交方向の長さよりも短い。
【００５８】
図８（Ｂ）を参照し、被着体Ｋに対するラベル６４の取り付け方法について説明する。（ａ）に示すように、第４ラベル媒体６０Ｄの台紙５１２からラベル６４が剥がされる。（ｂ）に示すように、使用者は、ラベル６４を第１ライン５５１及び第２ライン５５２で折り曲げ、ラベル６４のうち粘着剤が塗布された面同士を貼り合わせる。このとき、第２貫通部５４２の粘着剤が塗布された面のうち、第１貫通部５４１の第１相違部８４に対応する露出部分８４０、第１貫通部５４１の第２相違部８５に対応する露出部分８５０、第１貫通部５４１の第３相違部８６に対応する露出部分８６０は、それぞれ、第２ライン５５２によってラベル６２が折り曲げられたときに露出する。
【００５９】
次に、（ｃ）に示すように、使用者は巻付部５３を折り曲げ、表示部５２及び巻付部５３を貫通部５４の孔５４Ａに通す。このとき、露出部分８４０、８５０、８６０が内側に配置された状態で巻かれるように、向きが調整される。これにより、巻付部５３は被着体Ｋに巻き付く。このとき、（ｄ）に示すように、露出部分８４０、及び、露出部分８５０のうち貫通部５４側の一部分のそれぞれの粘着剤は、被着体Ｋに貼付される。又、貫通部５４のうち孔５４Ａに対して巻付部５３と反対側の部分を折り返すことによって、露出部分８６０は巻付部５３の一部に対向して重複し、露出部分８６０の粘着剤が巻付部５３に貼付される。これにより、被着体Ｋに対するラベル６３の取り付けは完了する。ラベル６３は、被着体Ｋに巻付部５３が巻き付いた状態で、被着体Ｋに保持される。
【００６０】
＜第４実施例の作用、効果＞
ラベル６４では、第１貫通部５４１に第１相違部８４、第２相違部８５、第３相違部８６が形成される。第１相違部８４は、第１貫通部５４１のうち、第１孔５４１Ａに対して直交方向の第３側及び第４側に設けられたスリットである。第２相違部８５は、第１貫通部５４１のうち、第１孔５４１Ａに対して第２側、言い換えれば、第１孔５４１Ａに対して第１巻付部５３１と近接する側に設けられた切欠きである。第３相違部８６は、第１貫通部５４１のうち、第１孔５４１Ａに対して第１側、言い換えれば、第１孔５４１Ａに対して第１巻付部５３１から離隔する側に設けられた切欠きである。この場合、被着体Ｋに貼付される露出部分８４０、８５０の面積を大きくすることができるので、被着体Ｋにラベル６４を更に強固に貼付できる。又、貫通部５４を折り返すことによって、露出部分８６０を巻付部５３の一部に対向して重複させることができる。この場合、ラベル６４は、貫通部５４のうち粘着剤が露出した露出部分８６０を巻付部５３に貼付することによって、被着体Ｋに巻き付いた巻付部５３が緩むことを抑制できる。従って、ラベル６４の孔５４Ａから表示部５２を抜け難くすることができる。
【００６１】
＜第５実施例：第５ラベル媒体６０Ｅ＞
図９を参照し、ラベル媒体６０の第５実施例である第５ラベル媒体６０Ｅについて説明する。第１ラベル媒体６０Ａ（図５参照）と異なる点は、第１貫通部５４１に相違部が形成されず、代わりに、第１巻付部５３１に第４相違部８７が形成される点である。その他の構成は、第１ラベル媒体６０Ａと同一である。第５ラベル媒体６０Ｅのラベル６５（ラベル６５Ａ、６５Ｂ、６５Ｃ・・・）は、第１ラベル媒体６０Ａのラベル６１（ラベル６１Ａ、６１Ｂ、６１Ｃ・・・、図５参照）に対応する。ラベル６５において、第１貫通部５４１、第２貫通部５４２は同一形状且つ同一サイズを有し、第１巻付部５３１及び第２巻付部５３２は、それぞれ形状が相違する。以下、第１ラベル媒体６０Ａと同一構成については、第１ラベル媒体６０Ａと同一符号を付し、説明を省略する。
【００６２】
図９（Ａ）に示すように、ラベル６５の第１巻付部５３１には、第４相違部８７が形成される。第４相違部８７は、第１巻付部５３１のうち長尺方向の中央に設けられたスリットである。第４相違部８７は直交方向に延びる。第１巻付部５３１は第４相違部８７によって、第１側の部分と第２側の部分とに分割される。第４相違部８７の長尺方向の長さを「Ｂ２」と表記する。Ｂ２（第４相違部８７の長尺方向の長さ）は、Ａ１（第１孔５４１Ａの長尺方向の長さ）よりも小さくなる。
【００６３】
図９（Ｂ）を参照し、被着体Ｋに対するラベル６５の取り付け方法について説明する。（ａ）に示すように、第５ラベル媒体６０Ｅの台紙５１２からラベル６５が剥がされる。（ｂ）に示すように、使用者は、ラベル６５を第１ライン５５１及び第２ライン５５２で折り曲げ、ラベル６５のうち粘着剤が塗布された面同士を貼り合わせる。このとき、第２巻付部５３２の粘着剤が塗布された面のうち、第１巻付部５３１の第４相違部８７に対応する露出部分８７０は、第２ライン５５２によってラベル６２が折り曲げられたときに露出する。次に、（ｃ）に示すように、使用者は巻付部５３を折り曲げ、表示部５２及び巻付部５３を貫通部５４の孔５４Ａに通す。このとき、露出部分８７０が外側に配置された状態で巻かれるように、向きが調整される。これにより、巻付部５３は被着体Ｋに巻き付く。このとき、（ｄ）に示すように、露出部分８７０は貫通部５４の一部に対向して重複し、露出部分８７０の粘着剤が貫通部５４に貼付される。これにより、被着体Ｋに対するラベル６３の取り付けは完了する。ラベル６５は、被着体Ｋに巻付部５３が巻き付いた状態で、被着体Ｋに保持される。
【００６４】
＜第５実施例の作用、効果＞
ラベル６５では、第１巻付部５３１及び第２巻付部５３２は互いに形状が相違する。このため、第１巻付部５３１及び第２巻付部５３２が貼り合わせられた場合、露出部分８７０において粘着剤が露出する。従ってラベル６５は、貼り合わせられた巻付部５３のうち露出部分８７０を貫通部５４に貼付させることができる。これによって、被着体Ｋに巻き付いた巻付部５３が緩むことを抑制できるので、孔５４Ａから表示部５２を抜け難くすることができる。
【００６５】
ラベル６５では、第１巻付部５３１に第４相違部８７が形成される。このため、第２ライン５５２によってラベル６５が折り曲げられた場合、第１巻付部５３１の第４相違部８７から、第２巻付部５３２の露出部分８７０が露出する。このように、ラベル６５では、第１巻付部５３１に第４相違部８７を形成させることによって、巻付部５３のうち貫通部５４と重複する部分で露出部分８７０により粘着剤を適切に露出させ、貫通部５４に貼付できる。
【００６６】
ラベル６５において、第４相違部８７の長尺方向の長さＢ２は、第１孔５４１Ａの長尺方向の長さＡ１よりも小さい。この場合、ラベル６５は、巻付部５３のうち貫通部５４の一部と対向して重複する部分に露出部分８７０を適切に形成させつつ、第４相違部８７の長尺方向の長さを小さくできる。従って、ラベル６５は、巻付部５３の強度を維持できる。
【００６７】
＜第６実施例：第６ラベル媒体６０Ｆ＞
図１０を参照し、ラベル媒体６０の第６実施例である第６ラベル媒体６０Ｆについて説明する。第６ラベル媒体６０Ｆのラベル６６（ラベル６６Ａ、６６Ｂ、６６Ｃ・・・）は、第１ラベル媒体６０Ａのラベル６１（ラベル６１Ａ、６１Ｂ、６１Ｃ・・・、図５参照）に対応する。ラベル６６は、第５相違部８８Ａ、８８Ｂ（以下、総称して「第５相違部８８」という。）、及び第６相違部８９を有する。ラベル６５では、第１貫通部５４１、第２貫通部５４２の形状がそれぞれ相違し、且つ、第１巻付部５３１及び第２巻付部５３２の形状がそれぞれ相違する。以下、第１ラベル媒体６０Ａと同一構成については、第１ラベル媒体６０Ａと同一符号を付し、説明を省略する。
【００６８】
図１０（Ａ）に示すように、第５相違部８８は、ラベル６６の第１貫通部５４１に形成される。第５相違部８８は、第１ラベル媒体６０Ａのラベル６１（図５参照）における第１相違部８１（図５参照）に対応する。第５相違部８８Ａ、８８Ｂは、それぞれ、ラベル６１（図５参照）における第１相違部８１Ａ、８１Ｂ（図５参照）に対応する。このため、第５相違部８８Ａは、第１貫通部５４１のうち第１孔５４１Ａに対して第３側に形成され、第５相違部８８Ｂは、第１貫通部５４１のうち第１孔５４１Ａに対して第４側に形成される。第６相違部８９は、ラベル６６の第２巻付部５３２に形成される。第６相違部８９は、第２巻付部５３２のうち長尺方向の中央に設けられたスリットである。第６相違部８９は直交方向に延びる。第２巻付部５３２は第６相違部８９によって、第１側の部分と第２側の部分とに分割される。
【００６９】
図１０（Ｂ）を参照し、被着体Ｋに対するラベル６６の取り付け方法について説明する。（ａ）に示すように、第６ラベル媒体６０Ｆの台紙５１２からラベル６６が剥がされる。（ｂ）に示すように、使用者は、ラベル６６を第１ライン５５１及び第２ライン５５２で折り曲げ、ラベル６６のうち粘着剤が塗布された面同士を貼り合わせる。このとき、第２貫通部５４２の粘着剤が塗布された面のうち、第１貫通部５４１の第５相違部８８に対応する露出部分８８０は、第２ライン５５２によってラベル６６が折り曲げられたときに露出する。又、第１巻付部５３１の粘着剤が塗布された面のうち、第２巻付部５３２の第６相違部８９に対応する露出部分８９０は、第２ライン５５２によってラベル６２が折り曲げられたときに露出する。つまり、露出部分８８０、８９０は、折り曲げられた状態のラベル６６のうち互いに異なる面に配置される。
【００７０】
次に、（ｃ）に示すように、使用者は巻付部５３を折り曲げ、表示部５２及び巻付部５３を貫通部５４の孔５４Ａに通す。このとき、露出部分８８０が内側に配置され、露出部分８９０が外側に配置された状態で巻かれるように、向きが調整される。これにより、巻付部５３は被着体Ｋに巻き付く。このとき、（ｄ）に示すように、露出部分８８０の粘着剤は、被着体Ｋに接触して貼付される。又、露出部分８９０は貫通部５４の一部に対向して重複し、露出部分８９０の粘着剤は貫通部５４に貼付される。これにより、被着体Ｋに対するラベル６６の取り付けは完了する。ラベル６６は、被着体Ｋに巻付部５３が巻き付いた状態で、被着体Ｋに保持される。
【００７１】
＜第６実施例の作用、効果＞
ラベル６６において、第１貫通部５４１及び第２貫通部５４２は互いに形状が相違し、且つ、第１巻付部５３１及び第２巻付部５３２は互いに形状が相違する。このため、第１貫通部５４１及び第２貫通部５４２が貼り合わせられた場合、露出部分８８０において粘着剤が露出する。又、第１巻付部５３１及び第２巻付部５３２が貼り合わせられた場合、露出部分８９０において粘着剤が露出する。従ってラベル６６は、貼り合わせられた貫通部５４のうち露出部分８８０を被着体Ｋに貼付させることができるので、ラベル６６が被着体Ｋの延伸方向に移動することを抑制できる。又、貼り合わせられた巻付部５３のうち露出部分８９０を貫通部５４に貼付させることができる。この場合、被着体Ｋに巻き付いた巻付部５３が緩むことを抑制できるので、孔５４Ａから表示部５２を抜け難くすることができる。
【００７２】
ラベル６６では、第１貫通部５４１に第５相違部８８が形成され、第２巻付部５３２に第６相違部８９が形成される。つまり、第５相違部８８及び第６相違部８９は、第１仮想ライン５５０Ａ〜第３仮想ライン５５０Ｃを挟んで互いに反対側に配置される。この場合、折り曲げられた状態のラベル６６において、第１貫通部５４１の第５相違部８８から露出した露出部分８８０の接着剤を被着体Ｋに貼付させつつ、第２巻付部５３２の第６相違部８９から露出した露出部分８９０の接着剤を貫通部５４に貼付できる。従って、ラベル６６が被着体Ｋの延伸方向に移動することを抑制しつつ、ラベル６６の孔５４Ａから表示部５２を抜け難くすることができる。
【００７３】
第５相違部８８は、第１貫通部５４１のうち、第１孔５４１Ａに対して直交方向の第３側及び第４側に設けられたスリットである。第５相違部８８Ａは、第１貫通部５４１のうち第１孔５４１Ａに対して第３側の一部に形成される。第５相違部８８Ｂは、第１貫通部５４１のうち第１孔５４１Ａに対して第４側の一部に形成される。ここで、被着体Ｋは、貫通部５４と巻付部５３とによって形成された環状部分の内側を通過する。このため、第５相違部８８を上記の位置に形成させることによって、環状部分を通過する被着体Ｋと接触する部分に露出部分８８０を配置させることが容易に可能となる。従って、ラベル６６は、露出部分８８０の接着剤を被着体Ｋに適切に貼付することによって、ラベル６６を被着体Ｋに直接貼付できる。
【００７４】
＜第７実施例：第７ラベル媒体６０Ｇ＞
図１１を参照し、ラベル媒体６０の第７実施例である第７ラベル媒体６０Ｇについて説明する。第７ラベル媒体６０Ｇのラベル６７（ラベル６７Ａ、６７Ｂ、６７Ｃ・・・）は、第１ラベル媒体６０Ａのラベル６１（ラベル６１Ａ、６１Ｂ、６１Ｃ・・・、図５参照）に対応する。以下、第１ラベル媒体６０Ａと同一構成については、第１ラベル媒体６０Ａと同一符号を付し、説明を省略する。
【００７５】
図１１（Ａ）に示すように、ラベル６７には、第５相違部９０（第５相違部９０Ａ、９０Ｂ）、第６相違部９１、及び第７相違部９２が形成される。第５相違部９０及び第７相違部９２は、第１貫通部５４１に設けられる。第５相違部９０は、第６ラベル媒体６０Ｆのラベル６６（図１０参照）における第５相違部８８（図１０参照）に対応する。第５相違部９０Ａ、９０Ｂは、それぞれ、ラベル６６（図１０参照）における第５相違部８８Ａ、８８Ｂ（図１０参照）に対応する。第７相違部９２は、第２ラベル媒体６０Ｂのラベル６２（図６参照）における第２相違部８２（図６参照）に対応する。第６相違部９１は、第２巻付部５３２のうち第３側の端部に形成された切欠きである。第６相違部９１は、第２巻付部５３２のうち長尺方向の略中央に形成され、第３側の端部から第４側に向けて延びる。
【００７６】
図１１（Ｂ）を参照し、被着体Ｋに対するラベル６７の取り付け方法について説明する。（ａ）に示すように、第７ラベル媒体６０Ｇの台紙５１２からラベル６７が剥がされる。（ｂ）に示すように、使用者は、ラベル６６を第１ライン５５１及び第２ライン５５２で折り曲げ、ラベル６７のうち粘着剤が塗布された面同士を貼り合わせる。このとき、第２貫通部５４２の粘着剤が塗布された面のうち、第１貫通部５４１の第５相違部９０に対応する露出部分９００は、第２ライン５５２によってラベル６７が折り曲げられたときに露出する。又、第２貫通部５４２の粘着剤が塗布された面のうち、第１貫通部５４１の第７相違部９２に対応する露出部分９２０は、第２ライン５５２によってラベル６７が折り曲げられたときに露出する。又、第１巻付部５３１の粘着剤が塗布された面のうち、第２巻付部５３２の第６相違部９１に対応する露出部分９１０は、第２ライン５５２によってラベル６２が折り曲げられたときに露出する。
【００７７】
次に、（ｃ）に示すように、使用者は巻付部５３を折り曲げ、表示部５２及び巻付部５３を貫通部５４の孔５４Ａに通す。このとき、露出部分９００、９２０が内側に配置され、露出部分９１０が外側に配置された状態で巻かれるように、向きが調整される。これにより、巻付部５３は被着体Ｋに巻き付く。このとき、（ｄ）に示すように、露出部分９００、９２０の粘着剤は、被着体Ｋに接触して貼付される。又、露出部分９１０は貫通部５４の一部に対向して重複し、露出部分９１０の粘着剤は貫通部５４に貼付される。これにより、被着体Ｋに対するラベル６７の取り付けは完了する。ラベル６７は、被着体Ｋに巻付部５３が巻き付いた状態で、被着体Ｋに保持される。
＜第７実施例の作用、効果＞
ラベル６７では、第１貫通部５４１に第５相違部９０及び第７相違部９２が形成される。第７相違部９２は、第１貫通部５４１のうち、第１孔５４１Ａに対して第２側、言い換えれば、第１孔５４１Ａに対して第１巻付部５３１と近接する側に設けられた切欠きである。第２ライン５５２によってラベル６２が折り曲げられた場合、第１貫通部５４１の第５相違部９０から、第２貫通部５４２の露出部分９００が露出すると同時に、第１貫通部５４１の第７相違部９２から、第２貫通部５４２の露出部分９２０が露出する。露出部分９００、９２０は、被着体Ｋに貼付される。この場合、ラベル６７のより広い範囲で粘着剤が露出されることになるので、被着体Ｋに貼付される露出部分９００、９２０の面積も大きくなる。従って、被着体Ｋにラベル６７を更に強固に貼付できる。更に、第２巻付部５３２の第６相違部９１から露出した露出部分９１０を貫通部５４の一部に貼付できるので、ラベル６７が被着体Ｋの延伸方向に移動することを抑制しつつ、ラベル６７の孔５４Ａから表示部５２を抜け難くすることができる。
【００７８】
＜第８実施例：第８ラベル媒体６０Ｈ＞
図１２を参照し、ラベル媒体６０の第８実施例である第８ラベル媒体６０Ｈについて説明する。第８ラベル媒体６０Ｈのラベル６８（ラベル６８Ａ、６８Ｂ、６８Ｃ・・・）は、第１ラベル媒体６０Ａのラベル６１（ラベル６１Ａ、６１Ｂ、６１Ｃ・・・、図５参照）に対応する。以下、第１ラベル媒体６０Ａと同一構成については、第１ラベル媒体６０Ａと同一符号を付し、説明を省略する。
【００７９】
図１２（Ａ）に示すように、ラベル６８には第５相違部９３及び第６相違部９４が形成される。第５相違部９３は、第３ラベル媒体６０Ｃのラベル６３（図７参照）における第１相違部８３（図７参照）に対応する。第５相違部９３はスリット状であり、第１貫通部５４１のうち、第１孔５４１Ａに対して第１側に形成される。第６相違部９４は、第５ラベル媒体６０Ｅのラベル６５（図９参照）における第４相違部８７（図９参照）に対応する。第６相違部９４は、第１巻付部５３１のうち長尺方向の中央に設けられたスリットである。
【００８０】
図１２（Ｂ）を参照し、被着体Ｋに対するラベル６８の取り付け方法について説明する。（ａ）に示すように、第８ラベル媒体６０Ｈの台紙５１２からラベル６８が剥がされる。（ｂ）に示すように、使用者は、ラベル６８を第１ライン５５１及び第２ライン５５２で折り曲げ、ラベル６８のうち粘着剤が塗布された面同士を貼り合わせる。このとき、第２貫通部５４２の粘着剤が塗布された面のうち、第１貫通部５４１の第５相違部９３に対応する露出部分９３０は、第２ライン５５２によってラベル６６が折り曲げられたときに露出する。又、第２巻付部５３２の粘着剤が塗布された面のうち、第１巻付部５３１の第６相違部９４に対応する露出部分９４０は、第２ライン５５２によってラベル６２が折り曲げられたときに露出する。つまり、露出部分９３０、９４０は、折り曲げられた状態のラベル６６のうち互いに同一面に配置される。
【００８１】
次に、（ｃ）に示すように、使用者は巻付部５３を折り曲げ、表示部５２及び巻付部５３を貫通部５４の孔５４Ａに通す。このとき、露出部分９３０、９４０が外側に配置された状態で巻かれるように、向きが調整される。これにより、巻付部５３は被着体Ｋに巻き付く。このとき、（ｄ）に示すように、露出部分９３０、９４０は互いに対向して重複し、露出部分９３０、９４０のそれぞれの粘着剤が貼付される。これにより、被着体Ｋに対するラベル６３の取り付けは完了する。ラベル６８は、被着体Ｋに巻付部５３が巻き付いた状態で、被着体Ｋに保持される。
【００８２】
＜第８実施例の作用、効果＞
ラベル６８では、第１貫通部５４１に第５相違部９３が形成され、第１巻付部５３１に第６相違部９４が形成される。第５相違部９３は、第１貫通部５４１のうち、第１孔５４１Ａに対して第１側、言い換えれば、第１孔５４１Ａに対して第１巻付部５３１から離隔する側に設けられたスリットである。第２ライン５５２によってラベル６３が折り曲げられた場合、第１貫通部５４１の第５相違部９３から、第２貫通部５４２の露出部分９３０が露出する。又、第１巻付部５３１の第６相違部９４から、第２巻付部５３２の露出部分９４０が露出する。露出部分９３０、９４０は、巻付部５３が被着体Ｋに巻き付いた状態において互いに対向して重複し、夫々の部分で露出した粘着剤は互いに貼付される。この場合、ラベル６８は、貫通部５４と巻付部５３とを、それぞれの重複部分で強固に貼付できる。従って、被着体Ｋに巻き付いた巻付部５３が緩むことを適切に抑制できるので、孔５４Ａから表示部５２を更に抜け難くすることができる。
【００８３】
＜第９実施例：第９ラベル媒体６０Ｉ＞
図１３を参照し、ラベル媒体６０の第９実施例である第９ラベル媒体６０Ｉについて説明する。第９ラベル媒体６０Ｉのラベル６９（ラベル６９Ａ、６９Ｂ、６９Ｃ・・・）は、第１ラベル媒体６０Ａのラベル６１（ラベル６１Ａ、６１Ｂ、６１Ｃ・・・、図５参照）に対応する。以下、第１ラベル媒体６０Ａと同一構成については、第１ラベル媒体６０Ａと同一符号を付し、説明を省略する。
【００８４】
図１３（Ａ）に示すように、ラベル６９は、第１表示部５６１、第２表示部５６２、第１貫通部５７１、第２貫通部５７２、第１巻付部５８１、第２巻付部５８２、粘着層露出部５９Ａ、被覆部５９Ｂを有する。以下、第１表示部５６１及び第２表示部５６２を総称して「表示部５６」という。第１貫通部５７１及び第２貫通部５７２を総称して「貫通部５７」という。第１巻付部５８１及び第２巻付部５８２を総称して「巻付部５８」という。
【００８５】
第１表示部５６１及び第２表示部５６２は同一形状且つ同一サイズを有する。第１貫通部５７１、第２貫通部５７２は同一形状且つ同一サイズを有する。第１巻付部５８１及び第２巻付部５８２は形状が相違する。第１巻付部５８１に粘着層露出部５９Ａが接続される。第２巻付部５８２に被覆部５９Ｂが接続される。第１表示部５６１、第１貫通部５７１、第１巻付部５８１、粘着層露出部５９Ａは、この順番で、長尺方向に沿って第１側に向けて並ぶ。第２表示部５６２、第２貫通部５７２、第２巻付部５８２、被覆部５９Ｂは、この順番で、長尺方向に沿って第１側に向けて並ぶ。
【００８６】
表示部５６は略長方形である。表示部５６の長手方向は、長尺方向に延びる。第１表示部５６１及び第２表示部５６２は、直交方向に並ぶ。第１表示部５６１は、第２表示部５６２に対して第４側に配置される。第１表示部５６１の第３側の端部と、第２表示部５６２の第４側の端部とは、第１ライン５５１を介して互いに連結される。第１ライン５５１は、長尺方向と平行に延びる。第１ライン５５１は、基材５１１に形成されたミシン目である。第１表示部５６１及び第２表示部５６２は、第１ライン５５１を通って長尺方向に延びる第１仮想ライン５５０Ａを基準として線対称となる位置に配置される。
【００８７】
表示部５６はインクリボン４１３（図４参照）のインクが転写されることによって情報が印刷される領域５６Ａを有する。第１表示部５６１が有する領域５６Ａを、「領域５６１Ａ」といい、第２表示部５６２が有する領域５６Ａを、「領域５６２Ａ」という。
【００８８】
貫通部５７は、表示部５６と巻付部５８との間に配置される。第１貫通部５７１及び第２貫通部５７２は、直交方向に並ぶ。第１貫通部５７１は、第２貫通部５７２に対して第４側に配置される。第１貫通部５７１の第３側の端部と、第２貫通部５７２の第４側の端部とは、第２ライン５５２を介して互いに連結される。第２ライン５５２は、第１仮想ライン５５０Ａと同じ位置を通過する第３仮想ライン５５０Ｃに沿って延びる。第２ライン５５２は、基材５１１に形成されたミシン目である。第１貫通部５４１及び第２貫通部５４２は、第３仮想ライン５５０Ｃを基準として線対称となる位置に配置される。
【００８９】
貫通部５７には、Ｔ字の切れ目５７Ａが形成される。第１貫通部５７１に形成された切れ目５７Ａを、「第１切れ目５７１Ａ」という。第２貫通部５７２に形成された切れ目５７Ａを、「第２切れ目５７２Ａ」という。第１切れ目５７１Ａ、第２切れ目５７２Ａは、互いに同一形状且つ同一サイズを有する。第１切れ目５７１Ａ、第２切れ目５７２Ａは、第３仮想ライン５５０Ｃを基準として線対称となる位置に配置される。
【００９０】
巻付部５８は略長方形である。第１巻付部５８１及び第２巻付部５８２は、間隔を空けて直交方向に並ぶ。第１巻付部５８１は、第２巻付部５８２に対して第４側に配置される。第１巻付部５８１は、切り欠き状の第１相違部９５を有する。第１相違部９５は、第１巻付部５８１のうち第４側に形成される。第１巻付部５８１及び第２巻付部５８２は、第１相違部９５を除き、第１仮想ライン５５０Ａ及び第３仮想ライン５５０Ｃと同じ位置を通過する第２仮想ライン５５０Ｂを基準として線対称となる位置に配置される。
【００９１】
第１巻付部５８１の第１側に、粘着層露出部５９Ａが接続される。粘着層露出部５９Ａは、先端部が先細り状に形成される。第２巻付部５８２の第１側に、被覆部５９Ｂが接続される。被覆部５９Ｂの長尺方向の長さは、粘着層露出部５９Ａの長尺方向の長さよりも短い。被覆部５９Ｂの直交方向の長さは、粘着層露出部５９Ａの直交方向の長さよりも短い。
【００９２】
枠状部５０は、基材５１１のうちラベル６９を除く部位である。基材５１１のうちラベル６９と枠状部５０との境界部分には、切れ目が形成される。使用者は、基材５１１を切れ目によって切り離すことによって、台紙５１２からラベル６９のみを剥がすことができる。この時、枠状部５０が台紙５１２に貼付された状態は維持される。
【００９３】
図１３（Ｂ）を参照し、被着体Ｋに対するラベル６９の取り付け方法について説明する。（ａ）に示すように、第９ラベル媒体６０Ｉの台紙５１２からラベル６９が剥がされる。（ｂ）に示すように、使用者は、ラベル６９を第１ライン５５１及び第２ライン５５２で折り曲げ、ラベル６９のうち粘着剤が塗布された面同士を貼り合わせる。第２巻付部５８２の粘着剤が塗布された面のうち、第１巻付部５８１の第１相違部９５に対応する部分（以下、「露出部分９５０」という。）は、第１ライン５５１及び第２ライン５５２によってラベル６１が折り曲げられたときに露出する。
【００９４】
（ｃ）に示すように、使用者は、粘着層露出部５９Ａを先端から巻き上げ、係止部５９０を形成する。次に、（ｄ）に示すように、使用者は、係止部５９０を形成したラベル６９の巻付部５８を被着体Ｋに接触させる。このとき、露出部分９５０が被着体Ｋに貼付される。次に、（ｅ）に示すように、使用者は、巻付部５８の露出部分９５０の位置を基点として巻付部５８を折り曲げる。次に、（ｆ）に示すように、ラベル６９の係止部５９０を貫通部５７の切れ目５７Ａに通して、ラベル６９を被着体Ｋに取り付ける。ラベル６９は、被着体Ｋに巻付部５８が巻き付いた状態で、被着体Ｋに保持される。
【００９５】
＜第９実施例の作用、効果＞
ラベル６９は、粘着層露出部５９Ａが巻回されることにより形成された係止部５９０が切れ目５７Ａに挿通され、且つ、被着体Ｋに巻付部５８が巻回されることによって、被着体Ｋに固定される。ここで、第１巻付部５８１及び第２巻付部５８２が貼り合わせられた場合、第２巻付部５８２の露出部分９５０の粘着剤は露出する。従って、ラベル６９は、露出部分９５０を被着体Ｋに貼付させることができる。この場合、被着体Ｋの延伸方向にラベル６９が移動することを抑制できる。
【００９６】
＜第１０実施例：第１０ラベル媒体６０Ｊ＞
図１４を参照し、ラベル媒体６０の第１０実施例である第１０ラベル媒体６０Ｊについて説明する。第９ラベル媒体６０Ｉ（図１３参照）と異なる点は、第１巻付部５８１に相違部が形成されず、代わりに、第１貫通部５７１に第２相違部９６が形成される点である。その他の構成は、第９ラベル媒体６０Ｉと同一である。図１４（Ａ）に示すように、第２相違部９６は、第１貫通部５７１のうち第１切れ目５７１Ａに対して第１側に形成される。第２相違部９６は、第１貫通部５７１に形成された矩形状の貫通孔である。第１０ラベル媒体６０Ｊのラベル７０（ラベル７０Ａ、７０Ｂ、７０Ｃ・・・）は、第９ラベル媒体６０Ｉのラベル６９（ラベル６９Ａ、６９Ｂ、６９Ｃ・・・、図１３参照）に対応する。ラベル７０において、第１巻付部５８１、第２巻付部５８２は同一形状且つ同一サイズを有し、第１貫通部５７１及び第２貫通部５７２は、第２相違部９６の有無が相違する為、それぞれ形状が相違する。
【００９７】
図１４（Ｂ）を参照し、被着体Ｋに対するラベル７０の取り付け方法について説明する。（ａ）に示すように、第１０ラベル媒体６０Ｊの台紙５１２からラベル７０が剥がされる。（ｂ）に示すように、使用者は、ラベル７０を第１ライン５５１及び第２ライン５５２で折り曲げ、ラベル７０のうち粘着剤が塗布された面同士を貼り合わせる。第２貫通部５７２の粘着剤が塗布された面のうち、第１貫通部５７１の第２相違部９６に対応する部分（以下、「露出部分９６０」という。）は、第１ライン５５１及び第２ライン５５２によってラベル６１が折り曲げられたときに露出する。
【００９８】
（ｃ）に示すように、使用者は、粘着層露出部５９Ａを先端から巻き上げ、係止部５９０を形成する。次に、（ｄ）に示すように、使用者は、係止部５９０を形成したラベル６９の巻付部５８を被着体Ｋに接触させる。次に、（ｅ）に示すように、使用者は、巻付部５８のうち被着体Ｋに接触する位置を基点として、巻付部５８を折り曲げる。次に、（ｆ）に示すように、ラベル６９の係止部５９０を貫通部５７の切れ目５７Ａに通して、ラベル６９を被着体Ｋに取り付ける。このとき、露出部分９６０で露出した接着剤が、巻付部５８に貼付される。ラベル７０は、被着体Ｋに巻付部５８が巻き付いた状態で、被着体Ｋに保持される。
【００９９】
＜第１０実施例の作用、効果＞
ラベル７０では、第１貫通部５７１及び第２貫通部５７２が貼り合わせられた場合、第２貫通部５７２の露出部分９６０の粘着剤は露出する。従って、ラベル７０は、露出部分９６０に巻付部５８を貼付させることによって、被着体Ｋに巻き付いた巻付部５８が緩むことを適切に抑制できる。従って、ラベル７０は、切れ目５７Ａから係止部５９０を抜け難くすることができる。
【０１００】
＜変形例＞
本発明は上記実施形態に限定されず、種々の変更が可能である。以下、特段限定のない限り、第１実施例における第１ラベル媒体６０Ａ（ラベル６１）を例に挙げて説明するが、他の実施例（第２〜第１０実施例）にも同様の変形例が適用可能である。
【０１０１】
第１表示部５２１及び第２表示部５２２のそれぞれの少なくとも一部が、第１仮想ライン５５０Ａを基準として線対称となる位置に配置されればよい。従って、第１表示部５２１及び第２表示部５２２の形状及びサイズは相違していてもよい。第１巻付部５３１及び第２巻付部５３２のそれぞれの少なくとも一部が、第２仮想ライン５５０Ｂを基準として線対称となる位置に配置されればよい。従って、第１巻付部５３１及び第２巻付部５３２の形状及びサイズは相違していてもよい。第１貫通部５４１及び第２貫通部５４２のそれぞれの少なくとも一部が、第３仮想ライン５５０Ｃを基準として線対称となる位置に配置されればよい。従って、第１貫通部５４１及び第２貫通部５４２の形状及びサイズは相違していてもよい。第１孔５４１Ａ、第２孔５４２Ａのそれぞれの少なくとも一部が、第３仮想ライン５５０Ｃを基準として線対称となる位置に配置されればよい。第１孔５４１Ａ、第２孔５４２Ａの形状及びサイズは相違していてもよい。貫通部５４は、孔５４Ａの代わりに切れ目を有していてもよい。又、貫通部５４は孔５４Ａと切れ目の両方を有していてもよい。孔５４Ａ及び切れ目の少なくとも一方の一部は、巻付部５３に設けられていてもよい。即ち、孔５４Ａ及び切れ目は、貫通部５４からはみ出していてもよい。
【０１０２】
上記において、「仮想ラインに対して線対称」とは、厳密な対称関係だけでなく、実質的に対称関係を有している場合を包含することは言うまでもない。このため例えば、第１表示部５２１と第２表示部５２２、第１巻付部５３１と第２巻付部５３２、第１貫通部５４１と第２貫通部５４２、第１孔５４１Ａと第２孔５４２Ａは、それぞれ、仮想ラインに対する対称形状に対して僅かに相違していてもよい。
【０１０３】
基材５１１は、枠状部５０を有していなくてもよい。つまり、台紙５１２にはラベル６１のみ貼付されていてもよい。台紙５１２には、ラベル６１が貼付される第１領域と、ラベル６１が貼付されない第２領域とを含むことになる。この場合、使用者は、台紙５１２からラベル６１を容易に剥がすことができる。
【０１０４】
各相違部は、切欠き、スリット、及び孔の少なくとも何れかであればよい。各相違部は、切欠き、スリット、及び孔のうち少なくとも２つ以上を有していてもよい。図１５に示すように、第１ラベル媒体６０Ａの基材５１１のうち、ラベル６１の第１貫通部５４１に対応する部分に、矩形状のミシン目９７Ａ、９７Ｂ（以下、総称して「ミシン目９７」という。）が形成されてもよい。ラベル６１の第１相違部８１Ａは、ミシン目９７Ａに沿って基材５１１の一部が取り除かれることによって、第１貫通部５４１のうち第１孔５４１Ａに対して第３側に形成されてもよい。又、ラベル６１の第１相違部８１Ｂは、ミシン目９７Ｂに沿って基材５１１の一部が取り除かれることによって、第１貫通部５４１のうち第１孔５４１Ａに対して第４側に形成されてもよい。この場合、使用者は、ミシン目９７に沿って基材５１１の一部を切断することによって、ラベル６１の第１貫通部５４１に第１相違部８１を形成させることができる。なお、ミシン目９７の代わりに矩形状の切れ目が基材５１１に形成されていてもよい。
【０１０５】
第１実施形態（図５参照）において、第１相違部８１の長尺方向の長さＢ１を、第１孔５４１Ａの長尺方向の長さＡ１と同一としてもよい。第５実施例（図９参照）において、第４相違部８７の長尺方向の長さＢ２を、第１孔５４１Ａの長尺方向の長さＡ１と同一としてもよい。
【０１０６】
＜その他＞
長尺方向は、本発明の「第１方向」に対応する。直交方向は、本発明の「第１直交方向」に対応する。
【符号の説明】
【０１０７】
５１、      ：ラベル
５２、５６      ：表示部
５３、５８      ：巻付部
５４、５７      ：貫通部
５４Ａ    ：孔
５７Ａ    ：切れ目
５９Ａ    ：粘着層露出部
６０      ：ラベル媒体
６１、６２、６３、６４、７５、６６、６７、６８、６９、７０      ：ラベル
８１、８３、８４、９５      ：第１相違部
８２、８５、９６      ：第２相違部
８６      ：第３相違部
８７      ：第４相違部
８８、９０、９３、      ：第５相違部
８９、９１、９４      ：第６相違部
９２      ：第７相違部
９７      ：ミシン目
５１１    ：基材
５１２    ：台紙
５２１、５６１    ：第１表示部
５２２、５６２    ：第２表示部
５３１、５８１    ：第１巻付部
５３２、５８２    ：第２巻付部
５４１、５７１    ：第１貫通部
５４２、５７２    ：第２貫通部
５４１Ａ  ：第１孔
５４２Ａ  ：第２孔
５５０Ａ  ：第１仮想ライン
５５０Ｂ  ：第２仮想ライン
５５０Ｃ  ：第３仮想ライン
５７１Ａ  ：第１切れ目
５７２Ａ  ：第２切れ目
【図１】
2019066534.tif 000003
【図２】
2019066534.tif 000004
【図３】
2019066534.tif 000005
【図４】
2019066534.tif 000006
【図５】
2019066534.tif 000007
【図６】
2019066534.tif 000008
【図７】
2019066534.tif 000009
【図８】
2019066534.tif 000010
【図９】
2019066534.tif 000011
【図１０】
2019066534.tif 000012
【図１１】
2019066534.tif 000013
【図１２】
2019066534.tif 000014
【図１３】
2019066534.tif 000015
【図１４】
2019066534.tif 000016
【図１５】
2019066534.tif 000017